(57)【要約】  【課題】  換気ユニットを空気調和機本体に内蔵した空気調和機において、換気効率の良好な同時給排気運転を可能にしつつ、換気ユニットの薄型コンパクト化が図れ、しかも、排気のみの換気も行えるようにする。  【解決手段】  室内の壁に設置され、空気吸い込み口及び空気吹き出し口１１を有する空気調和機本体２と、この空気調和機本体に内蔵した熱交換器３、室内空気循環用の送風機４及び室内の換気を行う換気ユニット２０とを備えている。そして、換気ユニット２０は、ファンケーシング２８、２９、ファン及び駆動用電動機をそれぞれ個別に有する複数の送風機構部２１、２２を上下関係に配して一体化し、屋外空気を空気調和機本体２内に導入する給気と室内空気を屋外へ排出する排気とを同時に行う同時給排気運転の他に、空気調和機本体２内に流入した室内空気を屋外へ排出する排気運転が行える構成としている。  【選択図】        図３
2006078159.tif 000002
【特許請求の範囲】
【請求項１】
室内の壁に設置され、空気吸い込み口及び空気吹き出し口を有する空気調和機本体と、この空気調和機本体に内蔵した熱交換器、室内空気循環用の送風機及び室内の換気を行う換気ユニットとを備え、
前記換気ユニットは、ファンケーシング、ファン及び駆動用電動機をそれぞれ個別に有する複数の送風機構部を上下関係に配して一体化し、屋外空気を空気調和機本体内に導入する給気と室内空気を屋外へ排出する排気とを同時に行う同時給排気運転の他に、空気調和機本体内に流入した室内空気を屋外へ排出する排気運転が行える構成としたことを特徴とする空気調和機。
【請求項２】
前記換気ユニットは、前記複数の送風機構部のうち、一方を給気と排気の切り替えを可能とした給排気兼用と成し、前記排気運転として双方の送風機構部による同時排気運転が行える構成としたことを特徴とする請求項１に記載の空気調和機。
【発明の詳細な説明】
【技術分野】
【０００１】
本発明は、室内の壁に設置する壁掛け式の空気調和機に関し、特に、同時給排気による換気を可能とするとともに排気のみの換気も可能にした換気ユニット付きの空気調和機に関する。
【背景技術】
【０００２】
一つのモータで排気ファンと吸気ファンを同時駆動して、同時に排気と吸気を行う換気装置を空気調和機の室内ユニット内に収納した熱交換器の側方空間に収納配置したものがある。（例えば、特許文献１参照）。
【特許文献１】特開２００２−００５４７２号公報
【発明の開示】
【発明が解決しようとする課題】
【０００３】
特許文献１のものでは、同一モータで排気ファンと吸気ファンを同時駆動するため、排気と吸気を同時に行う換気装置としての機能は果たせるが、排気のみ、吸気のみを行うようには構成されていない。また、モータの左右両側にそれぞれシロッコタイプのファンが取り付けられ、それぞれのファンケーシングに排気ホースと吸気ホースが取り付けられた構成であるため、左右方向に長い形態の換気装置となり、空気調和機の室内ユニットをかなり横長タイプに改善しなければならない問題が生じる。
【０００４】
本発明は、上述の実情に鑑みてなされたものであり、換気ユニットを空気調和機本体に内蔵した空気調和機において、換気効率の良好な同時給排気運転を可能にしつつ、換気ユニットの薄型コンパクト化が図れ、しかも、排気のみの換気も行えるようにすることを目的としている。
【課題を解決するための手段】
【０００５】
請求項１に記載の発明では、室内の壁に設置され、空気吸い込み口及び空気吹き出し口を有する空気調和機本体と、この空気調和機本体に内蔵した熱交換器、室内空気循環用の送風機及び室内の換気を行う換気ユニットとを備え、前記換気ユニットは、ファンケーシング、ファン及び駆動用電動機をそれぞれ個別に有する複数の送風機構部を上下関係に配して一体化し、屋外空気を空気調和機本体内に導入する給気と室内空気を屋外へ排出する排気とを同時に行う同時給排気運転の他に、空気調和機本体内に流入した室内空気を屋外へ排出する排気運転が行える構成としたことを特徴とする。
【０００６】
請求項２に記載の発明では、請求項１に記載の空気調和機において、前記換気ユニットは、前記複数の送風機構部のうち、一方を給気と排気の切り替えを可能とした給排気兼用と成し、前記排気運転として双方の送風機構部による同時排気運転が行える構成としたことを特徴とする。
【発明の効果】
【０００７】
本発明によれば、換気ユニットは、ファンケーシング、ファン、及び駆動用電動機をそれぞれ個別に有する複数の送風機構部を上下関係に配して一体化し、屋外空気を空気調和機本体内に導入する給気と室内空気を屋外へ排出する排気とを同時に行う同時給排気運転の他に、空気調和機本体内に流入した室内空気を屋外へ排出する排気運転が行える構成としたから、換気効率に優れた同時給排気運転による換気が行えるのはもちろんのこと、ファンケーシング、ファン、及び駆動用電動機をそれぞれ個別に有する複数の送風機構部を上下関係に配して一体化することにより、薄型コンパクト化が図れ、しかも、同時給排気運転による換気の他に、排気のみの換気も行える。
【発明を実施するための最良の形態】
【０００８】
換気ユニットを空気調和機本体に内蔵した空気調和機において、換気効率の良好な同時給排気運転を可能にしつつ、換気ユニットの薄型コンパクト化が図れ、しかも、排気のみの換気も行えるようにするという目的を、室内の壁に設置され、空気吸い込み口及び空気吹き出し口を有する空気調和機本体と、この空気調和機本体に内蔵した熱交換器、室内空気循環用の送風機及び室内の換気を行う換気ユニットとを備え、前記換気ユニットは、ファンケーシング、ファン及び駆動用モータをそれぞれ個別に有する複数の送風機構部を上下関係に配して一体化し、屋外空気を空気調和機本体内に導入する給気と室内空気を屋外へ排出する排気とを同時に行う同時給排気運転の他に、空気調和機本体内に流入した室内空気を屋外へ排出する排気運転が行える構成とすることで実現した。
【実施例１】
【０００９】
次に、本発明の実施の形態について説明する。図１は本発明に係る空気調和機と室外機のセットである分離型空気調和装置の斜視図、図２は本発明に係る空気調和機の縦断側面図、図３は本発明に係る空気調和機の換気ユニット収納部の正面斜視図、図４は本発明に係る換気ユニットの右側斜視図、図５は本発明に係る換気ユニットの給気モードを説明する左側斜視図、図６は本発明に係る換気ユニットの排気モードを説明する左側斜視図、図７は本発明に係る換気ユニットの給排気部の断面図、図８は本発明に係る換気ユニットの給気モードにおける第１切り替え弁Ａの状態説明図、図９は本発明に係る換気ユニットの給気モードにおける第２切り替え弁Ｂの状態説明図、図１０は本発明に係る換気ユニットの排気モードにおける第１切り替え弁Ａの状態説明図、図１１は本発明に係る換気ユニットの排気モードにおける第２切り替え弁Ｂの状態説明図である。
【００１０】
図において、本発明に係る空気調和機１は、室内の壁に掛けられるタイプの壁掛け式室内用空気調和機であり、冷媒の圧縮機と凝縮器とこれらの熱交換用送風機８等を収納した室外機１０とで一組の分離型空気調和装置を構成するものであり、空気調和機１と室外機１０とは、冷媒回路１８と電気回路１９とで連結された状態である。空気調和機１は、内部に熱交換器３と送風機４等が配置され、上面と前面に空気吸い込み部を形成している。前記分離型空気調和装置は、空気調和機１によって家屋の室内の空気調和を行うために、
冷房動作、暖房動作、除湿動作、換気動作、室内空気循環動作を選択スイッチの操作に基づき選択できるものである。この選択スイッチは、使用性の向上から一般的に使用者が任意に遠隔操作可能なリモートコントローラ（図示せず）に設けられたスイッチで構成される。
【００１１】
これを具体的に説明すると、空気調和機１は、空気調和機本体２と前面パネル７とで構成された横長形状をなし、空気調和機本体２は空気調和機１の背面側に位置する基体部２Ａと、その基体部２Ａの前面側に組み合わされたカバー部２Ｂとで構成され、カバー部２Ｂは前後に開口して空気調和機１の外形形状をした枠状をなし、このカバー部２Ｂの前面開口を覆うように前面パネル７が着脱可能に取り付けられている。基体部２Ａの前面側には、内部を冷媒が流れる熱交換器３と室内空気循環用の送風機４と電装箱等が取り付けられ、カバー部２Ｂがこれらの周囲を覆い、前面を前面パネル７が覆う状態である。空気調和機１は、家屋の室内の壁にネジ固定した固定板１６に対して、基体部２Ａの背面の引っ掛け部を引っ掛けることによって取り付けられる。
【００１２】
熱交換器３と送風機４は空気調和機本体２内に配置されており、熱交換器３は略逆Ｖ字状に配置した前面側熱交換部３Ａと後面側熱交換部３Ｂとで構成され、前面側熱交換部３Ａは下部が後方へ屈曲した部分３Ａ１を形成した形状をなす。熱交換器３は、並列配置の多数のアルミニウム薄板Ｐを冷媒パイプＱが貫通配置されたプレートフィン型熱交換器の構成である。送風機４は、左右方向に延びた多数の羽根４Ａが円周に配置され横軸４Ｂを電動機で回転する横流式ファンであり、熱交換器３の内側に配置されて、略熱交換器３の左右全幅に渡る長さを有する。
【００１３】
送風機４の運転によって空気吸い込み部から空気調和機１内へ吸い込まれる空気は、空気調和機本体２の上面と前面から熱交換器３へ向けて流入するように、横長の空気調和機本体２の上面と前面にそれぞれ左右方向に長く空気吸い込み口５Ａ、５Ｂ、５Ｃを形成している。上面空気吸い込み口５Ａは、空気調和機本体２の上面に左右方向に長く形成し、空気調和機本体２の前面側には、左右方向に長く前面空気吸い込み口５Ｂと５Ｃを形成している。これらの空気の吸い込み口５Ａ、５Ｂ、５Ｃの裏側には網状のフィルタ６が配置されている。
【００１４】
フィルタ６は、フィルタ網をその周囲に形成される合成樹脂製枠を射出成形すると同時に一体化したものであり、左右各１枚を一組とし、前面パネル７を開いた状態で、空気調和機本体２の左右両側部とその中間部に形成したフィルタ支持レール部９に対して、カバー部２Ｂの前面開口側から上方へ向かうスライド式挿入によって、左右のフィルタ６が着脱自在に保持されている。フィルタ６をフィルタ支持レール部９にスライドし易くするためと、フィルタ６の中間部が熱交換器３側へ落ち込まないようにするために、フィルタ６の裏側の支持部として左右のフィルタ支持レール部９、９間に渡る横桟９Ａと、この横桟９Ａ相互に上下に渡る縦桟でもって格子状の桟を形成している。
【００１５】
送風機４の運転によって熱交換器３Ａ、３Ｂと熱交換した空気は、空気調和機１の前面下部に形成した横長矩形状の空気吹き出し口１１から前方へ吹き出す。空気吹き出し口１１には、軸１２Ａで上下動するように軸支持された上下動風向板１２と、吹き出す空気流を左右の複数流に分割する左右動風向板１３を備えている。熱交換器３Ａ、３Ｂから流化する露は、その下方の露受け皿１４、１５で受けられ、ドレンパイプ１７から室外に排出される。
【００１６】
空気調和の一つとして、家屋の室内の給気と排気を行う換気ユニット２０が空気調和機１内に組み込まれている。換気ユニット２０は、熱交換器３と送風機４の側方に配置された状態であり、図では左側の空間に配置された形態を示している。換気ユニット２０は、
選択スイッチによって、給気モード、排気モード及び給排気モードに切り替え制御できるものである。換気ユニット２０は、給排気部（一方の送風機構部）２１と排気専用部（他方の送風機後部）２２が一体化された構成であり、空気調和機１内における熱交換器３の側方の空間に組み込まれた状態で、後述の室外給気管路２６と室外排気管路２７が接続される構成である。
【００１７】
給排気部２１は一方向回転の給排気兼用ファン２３とこれに関連する給排気通路を備えており、排気専用部２２は排気専用ファン２４とこれに関連する排気通路を備えている。給排気兼用ファン２３と排気専用ファン２４とは一平面状になるように配置されて、給排気部２１と排気専用部２２が一平面状の配置である。図では給排気兼用ファンと排気専用ファンとが一平面的な上下関係になるように、給排気部２１と排気専用部２２が一平面的な上下関係の配置である。これによって、換気ユニット全体が薄型の小型化が図られるものとなり、空気調和機１内で熱交換器３の側方の小空間に組み込まれるものに適したものとなる。
【００１８】
前記給排気通路は、給排気兼用ファン２３への空気吸い込み経路を室内空気吸い込み口２５からの室内空気吸い込み経路Ｐと室外給気管路２６からの室外空気吸い込み経路Ｑとに切り換える第１切り替え弁Ａと、給排気兼用ファン２３からの空気吐出経路を室外排気管路２７から室外へ排気する室外排気経路Ｒと家屋の室内へ供給する室内供給経路Ｓとに切り換える第２切り替え弁Ｂを備えている。
【００１９】
給排気兼用ファン２３と排気専用ファン２４は、十分な送風量を得るために遠心送風ファンで構成され、実施例ではその一つであるシロッコファンで構成している。シロッコファン２３は、円盤状の端板２３Ｂの中心は駆動用電動機２３Ａの回転軸に取り付けられ、端板２３Ｂの周縁には端板２３Ｂと直角方向へ延びた多数の羽根２３Ｃが取り付けられ、端板２３Ｂの対向面が吸い込み側２３Ｄとなり、吸込んだ空気は羽根２３Ｃから周辺へ吐出される動作をする。シロッコファン２４もシロッコファン２３と同様の構成である。
【００２０】
排気専用部２２は、排気専用ファン２４とこれに関連する排気通路を備える。排気専用シロッコファン２４とその駆動用電動機２４Ａがファンケーシング２８内に収納され、ファンケーシング２８の一側面にはシロッコファン２４の吸い込み側に対面して吸い込み口２８Ａが形成され、シロッコファン２４の周辺に対応したファンケーシング２８の周囲壁の一部には吐出口２８Ｂが形成されている。この構成によって、吸い込み口２８Ａから吐出口２８Ｂへ至る空気通路が、排気専用部２２の排気通路を形成する。吐出口２８Ｂは室外排気管路２７に連通してもよいが、室外へ延びる別個の排気パイプ（図示せず）を接続してもよい。
【００２１】
給排気部２１は、給排気兼用ファン２３とその駆動用電動機２３Ａがファンケーシング２９内に収納され、ファンケーシング２９の一側面にはシロッコファン２３の吸い込み側に対面して吸い込み口２９Ａが形成され、シロッコファン２３の周辺の吐出空間３０Ｂに対応したファンケーシング２９の周囲壁の一部には吐出口２９Ｂが形成されている。吸い込み口２９Ａの全周からへ空気を吸込むために、吸い込み口２９Ａの周縁に拡がった吸い込み空間３０Ｃを形成する。この吸い込み空間３０Ｃは、ファンケーシング２９を延長してその端部を側板３１で覆った状態で形成されている。この吸い込み空間３０Ｃの周囲壁の一部には、吐出口２９Ｂと同じ側に吐出口２９Ｂと区画して吸い込み口３０Ａが形成されている。
【００２２】
給排気部２１は、この他にダクト部３２がファンケーシング２９に連結された構成である。ダクト部３２は、室外給気管路２６から室外空気を吸い込む吸い込み口３３と、吸い込み口３０Ａと連結される吸い込み口３４と、室外空気を家屋の室内へ供給する給気口３７とを吸い込み空間３０Ｃと同じ側に一平面状に形成して、これらが室外空気吸い込み経
路Ｑの一部通路Ｑ１を構成している。室内空気吸い込み口２５は、この室外空気吸い込み経路Ｑの一部通路Ｑ１の側面に熱交換器３側に向いて開口するように形成されており、側板３１に掛かるように形成してもよい。
【００２３】
また、ダクト部３２は、吐出口２９Ｂと連結される吐出口３５と、室外排気管路２７へ室内空気を排出する吐出口３６と、室外空気を家屋の室内へ供給する給気口３７とを吐出空間３０Ｂと同じ側に一平面状に形成して、これらが室外排気経路Ｒの一部通路Ｒ１と室内供給経路Ｓの一部通路Ｓ１を構成している。この構成によって、室外排気経路Ｒの一部通路Ｒ１と室内供給経路Ｓの一部通路Ｓ１は、室外空気吸い込み経路Ｑの一部通路Ｑ１に重ね合わせ状態の配置となる。
【００２４】
また、ダクト部３２には、第１切り替え弁Ａと第２切り替え弁Ｂとが設けられ、第１切り替え弁Ａと第２切り替え弁Ｂは、ダクト部３２に取り付けた単一の電動機４０とこれによって回転する減速歯車機構４１によって作動するように構成している。第１切り替え弁Ａは、室内空気吸い込み経路Ｐの開閉と室外空気吸い込み経路Ｑの開閉とを行う。また、第２切り替え弁Ｂは、室外排気経路Ｒの開閉と室内供給経路Ｓの開閉を行う。このような切り替え制御は、前記リモートコントローラのスイッチによって給気モードと排気モードとを使用者が選択することにより行われる。
【００２５】
家屋の室内へ供給する室外空気の殺菌又は減菌のために、紫外線ランプ装置５０が換気ユニット２０と一体化されて、空気調和機１内で熱交換器３の前面側でフィルタ６の前面側に配置している。この紫外線ランプ装置５０は、横方向に長い紫外線ランプ５２の周囲に家屋の室内へ供給する室外空気の空気通路を形成するように、上部から下部の範囲に空気の吹き出し口５１Ａを形成したダクト構成のカバー５１で紫外線ランプ５２を覆った構成であり、給気口３７に一端が連通し他端がカバー５１の一端開口に連通したダクト部材５３によって、紫外線ランプ装置５０とダクト部３２とが連結されている。
【００２６】
ダクト部材５３には、ダクト部材５３内を流れる室外空気をろ過するためにフィルタ５４が着脱自在に取り付けられている。また、換気ユニット２０が給気モードで終了した状態では、第２切り替え弁Ｂが給気口３７を開いたままとなり、家屋の室内と室外とが換気ユニット２０内を通して連通状態となるため、この連通を遮断するために、ダクト部材５３には、電動機５５で作動するダンパ５６を設けている。このダンパ５６は、給気モードと排気モードの何れかが選択された状態では、ダクト部材５３内の空気通路を開き、給気モードと排気モードと給排気モードの何れも終了したとき、ダクト部材５３内の空気通路を閉じるように制御される。
【００２７】
上記のように、換気ユニット２０は、給排気部２１と排気専用部２２を備え、給排気部２１は一方向回転の給排気兼用ファン２３とこれに関連する給排気通路として、室内空気吸い込み経路Ｐ、室外空気吸い込み経路Ｑ、室外排気経路Ｒ、室内供給経路Ｓを備える。また、排気専用部２２は排気専用ファン２４とこれを取り囲むファンケーシング２８によって関連する排気通路を形成している。
【００２８】
そして、給排気部２１の前記給排気通路は、給排気兼用ファン２３への空気吸い込み経路を室内空気吸い込み口２５からの室内空気吸い込み経路Ｐと室外給気管路２６からの室外空気吸い込み経路Ｑとに切り換える第１切り替え弁Ａと、給排気兼用ファン２３からの空気吐出経路を室外排気管路２７から室外へ排気する室外排気経路Ｒと家屋の室内へ供給する室内供給経路Ｓとに切り換える第２切り替え弁Ｂを備えている。
【００２９】
次に、換気ユニット２０による給気モード、排気モード及び給排気モード（同時給排気運転）の動作を説明する。上記の選択スイッチによって換気ユニット２０が給気モードに選択されたときは、排気専用ファン２４は停止状態（ＯＦＦ）であって給排気兼用ファン２３の運転（ＯＮ）により前記給排気通路のうちの給気経路である室外空気吸い込み経路Ｑと室内供給経路Ｓを通って室外空気が家屋室内へ供給される。
【００３０】
また、上記の選択スイッチによって換気ユニット２０が排気モードに選択されたときは、排気専用ファン２４の運転により家屋室内の空気が室外に排出されると共に、給排気兼用ファン２３の運転により、家屋室内の空気が前記給排気通路のうちの排気経路である室内空気吸い込み経路Ｐと室外排気経路Ｒを通って室外へ排出されるよう制御される。
【００３１】
これを更に詳細に説明することとする。給気モードは空気の流れを図５、図８及び図９に矢印で示しており、図８に示すように、第１切り替え弁Ａが室外空気の吸い込み口３３を開くと共に室内空気吸い込み口２５を閉じ、図９に示すように、第２切り替え弁Ｂが室外空気の給気口３７を開くと共に室内空気の吐出口３６を閉じる。
【００３２】
このため、給排気兼用ファン２３の運転（ＯＮ）により、室外空気は室外給気管路２６から吸い込まれて室外空気吸い込み経路Ｑと室内供給経路Ｓを通り、更に給気口３７からダクト５３へ入って紫外線ランプ装置５０のカバー５１内を流れ、紫外線ランプ５２で殺菌又は減菌された状態で吹き出し口５１Ａから空気調和機１内に流出する。空気調和機１内に流出した室外空気は、空気調和機１内の送風機４によって家屋室内に循環される。
【００３３】
また排気モードは、空気の流れを図６、図１０及び図１１に示しており、図１０に示すように、第１切り替え弁Ａが室外空気の吸い込み口３３を閉じる共に室内空気吸い込み口２５を開き、図１１に示すように、第２切り替え弁Ｂが室外空気の給気口３７を閉じる共に室内空気の吐出口３６を開く。このため、給排気兼用ファン２３の運転（ＯＮ）により、空気調和機１内に入った室内空気は、室内空気吸い込み口２５から吸い込まれて室内空気吸い込み経路Ｐと室外排気経路Ｒを通り、室内空気の吐出口３６から室外排気管路２７内を流れて室外へ排出される。そして、排気モードでは排気専用ファン２４の運転により家屋室内の空気が室外に排出される。
【００３４】
また給排気モードでは、給排気兼用ファン２３の運転（ＯＮ）により前記給排気通路のうちの給気経路を通って室外空気が前記室内へ供給されると共に、前記排気専用ファンの運転（ＯＮ）により前記室内の空気が前記排気通路を通って室外へ排出されるよう制御される。即ち、第１切り替え弁Ａが室外空気の吸い込み口３３を開くと共に室内空気吸い込み口２５を閉じ、図９に示すように、第２切り替え弁Ｂが室外空気の給気口３７を開くと共に室内空気の吐出口３６を閉じる。
【００３５】
このため、給排気兼用ファン２３の運転（ＯＮ）により、室外空気は室外給気管路２６から吸い込まれて室外空気吸い込み経路Ｑと室内供給経路Ｓを通り、更に給気口３７からダクト５３へ入って紫外線ランプ装置５０のカバー５１内を流れ、紫外線ランプ５２で殺菌又は減菌された状態で吹き出し口５１Ａから空気調和機１内に流出する。空気調和機１内に流出した室外空気は、空気調和機１内の送風機４によって家屋室内に循環される。これと共に、排気専用ファン２４の運転（ＯＮ）により家屋室内の空気が室外に排出される。
【００３６】
このように、排気モードでは、給排気兼用ファン２３と排気専用ファン２４の運転（ＯＮ）により、室内の排気を速やかに行うことができるため、室内空気が汚れた場合には効果的である。
【００３７】
そして、給気モードでは、給排気兼用ファン２３の運転により、外気を取り入れて室内空気の清浄化をすることも効果的である。
【００３８】
そして、給排気モードでは、給排気兼用ファン２３と排気専用ファン２４の運転（ＯＮ）により、給気と排気が同時に行われるため、室内の空気浄化促進効果が発揮できる。
【００３９】
これらの制御は、第１切り替え弁Ａと第２切り替え弁Ｂによる通路切り替えと、給排気兼用ファン２３と排気専用ファン２４の運転（ＯＮ）によって達成できるため、制御もし易く的確となる。
【００４０】
なお、室外給気管路２６と室外排気管路２７は、図のように二本の管ではなく、室外空気の吸い込み口３３と室内空気の吐出口３６とに連通する一本の管（パイプ）で給気と排
気を兼用するように構成すれば、空気調和機１から室外へ延びるパイプは、この一本の管（パイプ）と排気専用部２２の排気通路を形成する吐出口２８Ｂに接続されたパイプの二本構成となる。
【００４１】
更に、吐出口２８Ｂに接続されるパイプを省略して、この一本の管（パイプ）でもって吐出口２８Ｂに接続されるパイプを兼用すれば、空気調和機１から室外へ延びるパイプは、この一本の管（パイプ）のみとすることも可能である。
【産業上の利用可能性】
【００４２】
本発明の空気調和機は、空気調和機１および換気ユニット２０の形態等については、上記実施形態に限定されず、本発明の技術的範囲を逸脱しない限り種々の空気調和機に適用できるものである。
【図面の簡単な説明】
【００４３】
【図１】本発明に係る空気調和機と室外機のセットである分離型空気調和装置の斜視図である。
【図２】同じく、本発明に係る空気調和機の縦断側面図である。
【図３】同じく、空気調和機の換気ユニット収納部の正面斜視図である。
【図４】同じく、換気ユニットの右側斜視図である。
【図５】同じく、換気ユニットの給気モードを説明する左側斜視図である。
【図６】同じく、換気ユニットの排気モードを説明する左側斜視図である。
【図７】同じく、換気ユニットの給排気部の断面図である。
【図８】同じく、換気ユニットの給気モードにおける第１切り替え弁Ａの状態説明図である。
【図９】同じく、換気ユニットの給気モードにおける第２切り替え弁Ｂの状態説明図である。
【図１０】同じく、換気ユニットの排気モードにおける第１切り替え弁Ａの状態説明図である。
【図１１】同じく、換気ユニットの排気モードにおける第２切り替え弁Ｂの状態説明図である。
【符号の説明】
【００４４】
１      空気調和機
２      空気調和機本体
３      熱交換器
４      送風機（室内空気循環用）
５Ａ    上面側空気吸い込み口
５Ｂ    前面側空気吸い込み口
５Ｃ    前面側空気吸い込み口
６      フィルタ
７      前面パネル
１０      室外機
１１      空気吹き出し口
２０      換気ユニット
２１      給排気部（一方の送風機構部）
２２      排気専用部（他方の送風機構部）
２３      給排気兼用ファン
２３Ａ    駆動用電動機
２４      排気専用ファン
２４Ａ    駆動用電動機
２５      室内空気吸い込み口
２６      室外給気管路
２７      室外排気管路
２８      給排気兼用ファンのファンケーシング
２９      排気専用ファンのファンケーシング
３２      ダクト部
３３      室外空気の吸い込み口
３６      室内空気の吐出口
３７      室外空気の給気口
４０      電動機
４１      減速歯車機構
５０      紫外線ランプ装置
５０      紫外線ランプ
５１      カバー
５３      ダクト
５５      電動機
５６      ダンパ
Ａ      第１切り替え弁
Ｂ      第２切り替え弁
Ｐ      室内空気吸い込み経路
Ｑ      室外空気吸い込み経路
Ｒ      室外排気経路
Ｓ      室内供給経路
【図１】
2006078159.tif 000003
【図２】
2006078159.tif 000004
【図３】
2006078159.tif 000005
【図４】
2006078159.tif 000006
【図５】
2006078159.tif 000007
【図６】
2006078159.tif 000008
【図７】
2006078159.tif 000009
【図８】
2006078159.tif 000010
【図９】
2006078159.tif 000011
【図１０】
2006078159.tif 000012
【図１１】
2006078159.tif 000013